(57)【要約】【課題】持玉、貯玉、プリペイド価値などの有価価値の一部を他の遊技客に譲渡して有価価値を共有する場合に、カード等の記憶媒体の取り違えに伴う混乱を効率良く防止することを課題とする。【解決手段】台間カード処理機１０を用いて持玉分割処理を行う際に分割元カード及び分割先カードに分割種別データ及び号機番号を記憶しておき、この分割元カード及び分割先カードが台間カード処理機１０に挿入された場合に、読み出した分割種別データ及び号機番号と自装置の号機番号を用いて受け入れ可否を判定する。【選択図】図１
2012085819.tif 000002
【特許請求の範囲】
【請求項１】
遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置であって、
遊技客により利用可能な有価価値を記憶する記憶手段と、
前記記憶手段に記憶された有価価値のうち分割して第三者に譲渡する分割有価価値を受け付ける受付手段と、
前記記憶手段に記憶された有価価値から前記分割有価価値を減算した有価価値、分割元を示す分割種別情報及び前記装置識別情報を含む第１の分割情報、又は、前記分割有価価値、分割先を示す分割種別情報及び前記装置識別情報を含む第２の分割情報のうちの少なくとも一方を該当する記憶媒体に関連付けるとともに記憶媒体を排出して、前記記憶手段に記憶した有価価値の分割処理を行う分割処理手段と、
記憶媒体を受け付けた場合に、該記憶媒体に記録された分割種別情報及び装置識別情報並びに自装置の装置識別情報に基づいて、前記記憶媒体の受け入れ可否を判定する判定手段と
を備えたことを特徴とする各台装置。
【請求項２】
遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置であって、
遊技客により利用可能な有価価値を記憶する記憶手段と、
前記記憶手段に記憶された有価価値のうち分割して自身に残す分割有価価値を受け付ける受付手段と、
前記分割有価価値、分割元を示す分割種別情報及び前記装置識別情報を含む第１の分割情報、又は、前記記憶手段に記憶された有価価値から前記分割有価価値を減算した有価価値、分割先を示す分割種別情報及び前記装置識別情報を含む第２の分割情報のうちの少なくとも一方を該当する記憶媒体に関連付けるとともに記憶媒体を排出して、前記記憶手段に記憶した有価価値の分割処理を行う分割処理手段と、
記憶媒体を受け付けた場合に、該記憶媒体に記録された分割種別情報及び装置識別情報並びに自装置の装置識別情報に基づいて、前記記憶媒体の受け入れ可否を判定する判定手段と
を備えたことを特徴とする各台装置。
【請求項３】
前記分割元記憶媒体及び前記分割先記憶媒体が、前記遊技店に会員登録した会員に付与された会員用記憶媒体であるか一般用記憶媒体であるかを判定する媒体種別判定手段をさらに備え、前記分割処理手段は、前記媒体種別判定手段により前記分割元記憶媒体及び前記分割先記憶媒体がともに一般用記憶媒体であると判定された場合に、該分割元記憶媒体及び分割先記憶媒体に対して前記分割種別情報及び前記装置識別情報を関連付けることを特徴とする請求項１又は２に記載の各台装置。
【請求項４】
前記判定手段は、前記分割先を示す分割種別情報及び前記装置識別情報が関連付けられた記憶媒体を受け付けた際に、該記憶媒体に関連付けられた装置識別情報と自装置の装置識別情報が一致する場合には、該記憶媒体を受け入れ不可であると判定し、該記憶媒体に関連付けられた装置識別情報と自装置の装置識別情報が一致しない場合には、該記憶媒体を受け入れ可能であると判定することを特徴とする請求項１、２又は３に記載の各台装置。
【請求項５】
前記判定手段は、前記分割元を示す分割種別情報及び前記装置識別情報が関連付けられた記憶媒体を受け付けた際に、該記憶媒体に関連付けられた装置識別情報と自装置の装置識別情報が一致する場合には、該記憶媒体を受け入れ可能であると判定し、該記憶媒体に関連付けられた装置識別情報と自装置の装置識別情報が一致しない場合には、該記憶媒体を受け入れ不可であると判定することを特徴とする請求項１〜４のいずれか一つに記載の各台装置。
【請求項６】
前記判定手段により記憶媒体の受け入れ可否が判定された後に、該記憶媒体に関連付けられた分割種別情報及び装置識別情報を削除する削除手段をさらに備えたことを特徴とする請求項１〜５のいずれか一つに記載の各台装置。
【請求項７】
遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置を含む遊技システムであって、
遊技客により利用可能な有価価値を記憶する記憶手段と、
前記記憶手段に記憶された有価価値のうち分割して第三者に譲渡する分割有価価値を受け付ける受付手段と、
前記記憶手段に記憶された有価価値から前記分割有価価値を減算した有価価値、分割元を示す分割種別情報及び前記装置識別情報を含む第１の分割情報、又は、前記分割有価価値、分割先を示す分割種別情報及び前記装置識別情報を含む第２の分割情報のうちの少なくとも一方を該当する記憶媒体に関連付けるとともに記憶媒体を排出して、前記記憶手段に記憶した有価価値の分割処理を行う分割処理手段と、
記憶媒体を受け付けた場合に、該記憶媒体に記録された分割種別情報及び装置識別情報並びに自装置の装置識別情報に基づいて、前記記憶媒体の受け入れ可否を判定する判定手段と
を備えたことを特徴とする各台装置を含む遊技システム。
【請求項８】
遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置を含む遊技システムであって、
遊技客により利用可能な有価価値を記憶する記憶手段と、
前記記憶手段に記憶された有価価値のうち分割して自身に残す分割有価価値を受け付ける受付手段と、
前記分割有価価値、分割元を示す分割種別情報及び前記装置識別情報を含む第１の分割情報、又は、前記記憶手段に記憶された有価価値から前記分割有価価値を減算した有価価値、分割先を示す分割種別情報及び前記装置識別情報を含む第２の分割情報のうちの少なくとも一方を該当する記憶媒体に関連付けるとともに記憶媒体を排出して、前記記憶手段に記憶した有価価値の分割処理を行う分割処理手段と、
記憶媒体を受け付けた場合に、該記憶媒体に記録された分割種別情報及び装置識別情報並びに自装置の装置識別情報に基づいて、前記記憶媒体の受け入れ可否を判定する判定手段と
を備えたことを特徴とする各台装置を含む遊技システム。
【請求項９】
遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置における有価価値分割処理方法であって、
遊技客により利用可能な有価価値を所定の記憶部に格納する格納工程と、
前記記憶部に記憶された有価価値のうち分割して第三者に譲渡する分割有価価値を受け付ける受付工程と、
前記記憶部に記憶された有価価値から前記分割有価価値を減算した有価価値、分割元を示す分割種別情報及び前記装置識別情報を含む第１の分割情報、又は、前記分割有価価値、分割先を示す分割種別情報及び前記装置識別情報を含む第２の分割情報のうちの少なくとも一方を該当する記憶媒体に関連付けるとともに記憶媒体を排出して、前記記憶部に記憶した有価価値の分割処理を行う分割処理工程と、
記憶媒体を受け付けた場合に、該記憶媒体に記録された分割種別情報及び装置識別情報並びに自装置の装置識別情報に基づいて、前記記憶媒体の受け入れ可否を判定する判定工程と
を含んだことを特徴とする有価価値分割処理方法。
【請求項１０】
遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置における有価価値分割処理方法であって、
遊技客により利用可能な有価価値を所定の記憶部に格納する格納工程と、
前記記憶部に記憶された有価価値のうち分割して第三者に譲渡する分割有価価値を受け付ける受付工程と、
前記分割有価価値、分割元を示す分割種別情報及び前記装置識別情報を含む第１の分割情報、又は、前記記憶部に記憶された有価価値から前記分割有価価値を減算した有価価値、分割先を示す分割種別情報及び前記装置識別情報を含む第２の分割情報のうちの少なくとも一方を該当する記憶媒体に関連付けるとともに記憶媒体を排出して、前記記憶部に記憶した有価価値の分割処理を行う分割処理工程と、
記憶媒体を受け付けた場合に、該記憶媒体に記録された分割種別情報及び装置識別情報並びに自装置の装置識別情報に基づいて、前記記憶媒体の受け入れ可否を判定する判定工程と
を含んだことを特徴とする有価価値分割処理方法。
【発明の詳細な説明】
【技術分野】
【０００１】
この発明は、遊技機に対応して設けられる各台装置、各台装置を含む遊技システム及び有価価値分割処理方法に関し、特に、持玉、貯玉、プリペイド価値などの有価価値の一部を効率良く第三者に譲り渡すことができる各台装置、各台装置を含む遊技システム及び有価価値分割処理方法に関する。
【背景技術】
【０００２】
従来、パチンコ店などの遊技店には、遊技媒体を貸し出す台間カード処理機が遊技機に併設される事が多い。遊技客は、この台間カード処理機に現金を投入することで、遊技媒体の貸し出しを受けることができるとともに、この台間カード処理機で貯遊技媒体の引出操作を行うことで、再プレイを行うことができる。
【０００３】
最近では、かかる台間カード処理機に対して遊技媒体数を計数する計数部を設け、この台間カード処理機の計数部で計数した遊技媒体数を持玉としてカードＩＤに対応づけて台間カード処理機並びにカード管理装置で管理するとともに、遊技客が台間カード処理機で持玉払出操作を行うことで、かかる持玉を所定数ずつ払い出す各台計数機付き台間カード処理機も普及しつつある（例えば、特許文献１参照）。このように、かかる各台計数機付き台間カード処理機を用いることで、遊技客は、パチンコ玉等の遊技媒体の現物を持ち歩かなくとも、持玉、貯遊技媒体及びプリペイド価値が関連付けたカードを用いて遊技の継続並びに遊技機の台移動を行うことができる。
【０００４】
ところが、上記従来技術を用いた場合には、複数人が連れ立って遊技店に来店して持玉を共有する場合に、ある遊技客から他の遊技客へ持玉の譲渡を行いづらい。具体的は、ある遊技客が獲得した持玉の一部を他の遊技客に譲渡しようとする場合に、この持玉は現物の遊技媒体として存在するわけではなく、計数結果としてカードに関連付けられたデータであるため、遊技客間での現物の遊技媒体の譲渡を行うことができない。
【０００５】
このため、遊技客間での現物の遊技媒体の譲渡を行うためには、遊技客が持玉払出操作を繰り返し行って現物の遊技媒体を投出する必要が生ずる。しかし、一回の持玉払出操作で払い出される遊技媒体数は例えば１２５個と少量であるため、遊技客は、何度も繰り返し持玉払出操作を行わねばならず、利便性に欠ける結果となる。
【０００６】
また、ある遊技客が他の遊技客に対して持玉が関連付けられたカード自体を貸与することも考えられるが、遊技客がカードの返却操作を行ってしまうと、その後に持玉の払出操作を行うことができず、やはり利便性に欠ける結果となる。
【０００７】
これらのことから、遊技客が分割先の持玉数を指定しつつ分割操作を行うと、指定した分割数を持玉数から減算した値を関連付けた分割元カードと、分割数を関連付けた分割先カードを順次台間カード処理機から排出し、遊技客が分割先カードを第三者に譲渡することで、持玉共有を行う仕組みが考えられる。
【先行技術文献】
【特許文献】
【０００８】
【特許文献１】特開２００７−２２９１１１号公報
【発明の概要】
【発明が解決しようとする課題】
【０００９】
しかしながら、上記従来技術を用いた場合には、台間カード処理機から分割元カードと分割先カードの２枚のカードが排出されるため、遊技客はどちらのカードを第三者に譲渡すべきか混乱するおそれがある。分割先カードと分割元カードが共に一般カードである場合には、カードの外観が同一であり、一見しただけでは分割元カードと分割先カードを区別できないからである。
【００１０】
その結果、遊技客が、分割元カードと分割先カードの排出順序を把握していない場合には、分割先カードを第三者に渡すつもりが、誤って分割元カードを第三者に渡してしまうこととなり、結果的に遊技客による円滑な遊技を妨げるおそれがある。
【００１１】
以上のことから、遊技客が持玉の分割処理を行ってその一部を第三者に譲渡する場合に、カード等の記憶媒体の取り違えに伴う混乱をいかに防止するかが重要な課題となっている。かかる課題は、持玉の分割処理のみならず、貯玉、貸玉及びプリペイド価値などの有価価値を分割して第三者に譲渡する場合にも、同様に生ずる課題である。
【００１２】
本発明は、上述した従来技術による問題点を解消するためになされたものであって、持玉、貯玉及びプリペイド価値などの有価価値の一部を他の遊技客に譲渡して有価価値を共有する場合に、カード等の記憶媒体の取り違えに伴う混乱を効率良く防止することができる各台装置、各台装置を含む遊技システム及び有価価値分割処理方法を提供することを目的とする。
【課題を解決するための手段】
【００１３】
上述した課題を解決し、目的を達成するため、本発明は、遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置であって、遊技客により利用可能な有価価値を記憶する記憶手段と、前記記憶手段に記憶された有価価値のうち分割して第三者に譲渡する分割有価価値を受け付ける受付手段と、前記記憶手段に記憶された有価価値から前記分割有価価値を減算した有価価値、分割元を示す分割種別情報及び前記装置識別情報を含む第１の分割情報、又は、前記分割有価価値、分割先を示す分割種別情報及び前記装置識別情報を含む第２の分割情報のうちの少なくとも一方を該当する記憶媒体に関連付けるとともに記憶媒体を排出して、前記記憶手段に記憶した有価価値の分割処理を行う分割処理手段と、記憶媒体を受け付けた場合に、該記憶媒体に記録された分割種別情報及び装置識別情報並びに自装置の装置識別情報に基づいて、前記記憶媒体の受け入れ可否を判定する判定手段とを備えたことを特徴とする。
【００１４】
また、本発明は、遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置であって、遊技客により利用可能な有価価値を記憶する記憶手段と、前記記憶手段に記憶された有価価値のうち分割して自身に残す分割有価価値を受け付ける受付手段と、前記分割有価価値、分割元を示す分割種別情報及び前記装置識別情報を含む第１の分割情報、又は、前記記憶手段に記憶された有価価値から前記分割有価価値を減算した有価価値、分割先を示す分割種別情報及び前記装置識別情報を含む第２の分割情報のうちの少なくとも一方を該当する記憶媒体に関連付けるとともに記憶媒体を排出して、前記記憶手段に記憶した有価価値の分割処理を行う分割処理手段と、記憶媒体を受け付けた場合に、該記憶媒体に記録された分割種別情報及び装置識別情報並びに自装置の装置識別情報に基づいて、前記記憶媒体の受け入れ可否を判定する判定手段とを備えたことを特徴とする。
【００１５】
また、本発明は、上記の発明において、前記分割元記憶媒体及び前記分割先記憶媒体が、前記遊技店に会員登録した会員に付与された会員用記憶媒体であるか一般用記憶媒体であるかを判定する媒体種別判定手段をさらに備え、前記分割処理手段は、前記媒体種別判定手段により前記分割元記憶媒体及び前記分割先記憶媒体がともに一般用記憶媒体であると判定された場合に、該分割元記憶媒体及び分割先記憶媒体に対して前記分割種別情報及び前記装置識別情報を関連付けることを特徴とする。
【００１６】
また、本発明は、上記の発明において、前記判定手段は、前記分割先を示す分割種別情報及び前記装置識別情報が関連付けられた記憶媒体を受け付けた際に、該記憶媒体に関連付けられた装置識別情報と自装置の装置識別情報が一致する場合には、該記憶媒体を受け入れ不可であると判定し、該記憶媒体に関連付けられた装置識別情報と自装置の装置識別情報が一致しない場合には、該記憶媒体を受け入れ可能であると判定することを特徴とする。
【００１７】
また、本発明は、上記の発明において、前記判定手段は、前記分割元を示す分割種別情報及び前記装置識別情報が関連付けられた記憶媒体を受け付けた際に、該記憶媒体に関連付けられた装置識別情報と自装置の装置識別情報が一致する場合には、該記憶媒体を受け入れ可能であると判定し、該記憶媒体に関連付けられた装置識別情報と自装置の装置識別情報が一致しない場合には、該記憶媒体を受け入れ不可であると判定することを特徴とする。
【００１８】
また、本発明は、上記の発明において、前記判定手段により記憶媒体の受け入れ可否が判定された後に、該記憶媒体に関連付けられた分割種別情報及び装置識別情報を削除する削除手段をさらに備えたことを特徴とする。
【００１９】
また、本発明は、遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置を含む遊技システムであって、遊技客により利用可能な有価価値を記憶する記憶手段と、前記記憶手段に記憶された有価価値から前記分割有価価値を減算した有価価値、分割元を示す分割種別情報及び前記装置識別情報を含む第１の分割情報、又は、前記分割有価価値、分割先を示す分割種別情報及び前記装置識別情報を含む第２の分割情報のうちの少なくとも一方を該当する記憶媒体に関連付けるとともに記憶媒体を排出して、前記記憶手段に記憶した有価価値の分割処理を行う分割処理手段と、記憶媒体を受け付けた場合に、該記憶媒体に記録された分割種別情報及び装置識別情報並びに自装置の装置識別情報に基づいて、前記記憶媒体の受け入れ可否を判定する判定手段とを備えたことを特徴とする。
【００２０】
また、本発明は、遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置を含む遊技システムであって、遊技客により利用可能な有価価値を記憶する記憶手段と、前記記憶手段に記憶された有価価値のうち分割して自身に残す分割有価価値を受け付ける受付手段と、前記分割有価価値、分割元を示す分割種別情報及び前記装置識別情報を含む第１の分割情報、又は、前記記憶手段に記憶された有価価値から前記分割有価価値を減算した有価価値、分割先を示す分割種別情報及び前記装置識別情報を含む第２の分割情報のうちの少なくとも一方を該当する記憶媒体に関連付けるとともに記憶媒体を排出して、前記記憶手段に記憶した有価価値の分割処理を行う分割処理手段と、記憶媒体を受け付けた場合に、該記憶媒体に記録された分割種別情報及び装置識別情報並びに自装置の装置識別情報に基づいて、前記記憶媒体の受け入れ可否を判定する判定手段とを備えたことを特徴とする。
【００２１】
また、本発明は、遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置における有価価値分割処理方法であって、遊技客により利用可能な有価価値を所定の記憶部に格納する格納工程と、前記記憶部に記憶された有価価値のうち分割して第三者に譲渡する分割有価価値を受け付ける受付工程と、前記記憶部に記憶された有価価値から前記分割有価価値を減算した有価価値、分割元を示す分割種別情報及び前記装置識別情報を含む第１の分割情報、又は、前記分割有価価値、分割先を示す分割種別情報及び前記装置識別情報を含む第２の分割情報のうちの少なくとも一方を該当する記憶媒体に関連付けるとともに記憶媒体を排出して、前記記憶部に記憶した有価価値の分割処理を行う分割処理工程と、記憶媒体を受け付けた場合に、該記憶媒体に記録された分割種別情報及び装置識別情報並びに自装置の装置識別情報に基づいて、前記記憶媒体の受け入れ可否を判定する判定工程とを含んだことを特徴とする。
【００２２】
また、本発明は、遊技店に設置される複数の遊技機にそれぞれ対応して設けられ、該遊技店に配設される各台装置を一意に識別する装置識別情報を有し、遊技媒体の払出操作に応答して所定数の遊技媒体を対応する遊技機に対して投出処理する各台装置における有価価値分割処理方法であって、遊技客により利用可能な有価価値を所定の記憶部に格納する格納工程と、前記記憶部に記憶された有価価値のうち分割して第三者に譲渡する分割有価価値を受け付ける受付工程と、前記分割有価価値、分割元を示す分割種別情報及び前記装置識別情報を含む第１の分割情報、又は、前記記憶部に記憶された有価価値から前記分割有価価値を減算した有価価値、分割先を示す分割種別情報及び前記装置識別情報を含む第２の分割情報のうちの少なくとも一方を該当する記憶媒体に関連付けるとともに記憶媒体を排出して、前記記憶部に記憶した有価価値の分割処理を行う分割処理工程と、記憶媒体を受け付けた場合に、該記憶媒体に記録された分割種別情報及び装置識別情報並びに自装置の装置識別情報に基づいて、前記記憶媒体の受け入れ可否を判定する判定工程とを含んだことを特徴とする。
【発明の効果】
【００２３】
本発明によれば、遊技客により利用可能な有価価値を記憶しておき、記憶された有価価値のうち分割して第三者に譲渡する分割有価価値を受け付け、記憶された有価価値から分割有価価値を減算した有価価値、分割元を示す分割種別情報及び装置識別情報を含む第１の分割情報、又は、分割有価価値、分割先を示す分割種別情報及び装置識別情報を含む第２の分割情報のうちの少なくとも一方を該当する記憶媒体に関連付けるとともに記憶媒体を排出して、記憶手段に記憶した有価価値の分割処理を行うとともに、記憶媒体を受け付けた場合に、該記憶媒体に記録された分割種別情報及び装置識別情報並びに自装置の装置識別情報に基づいて、記憶媒体の受け入れ可否を判定するよう構成したので、持玉、貯玉、プリペイド価値のような有価価値の一部を他の遊技客に譲渡して有価価値を共有する場合に、記憶媒体の取り違えに伴う混乱を効率良く防止することができる。
【００２４】
また、本発明によれば、遊技客により利用可能な有価価値を記憶しておき、記憶された有価価値のうち分割して自身に残す分割有価価値を受け付け、分割有価価値、分割元を示す分割種別情報及び装置識別情報を含む第１の分割情報、又は、記憶された有価価値から分割有価価値を減算した有価価値、分割先を示す分割種別情報及び装置識別情報を含む第２の分割情報のうちの少なくとも一方を該当する記憶媒体に関連付けるとともに記憶媒体を排出して、記憶した有価価値の分割処理を行うとともに、記憶媒体を受け付けた場合に、該記憶媒体に記録された分割種別情報及び装置識別情報並びに自装置の装置識別情報に基づいて、記憶媒体の受け入れ可否を判定するよう構成したので、持玉、貯玉、プリペイド価値のような有価価値の一部を他の遊技客に譲渡して有価価値を共有する場合に、記憶媒体の取り違えに伴う混乱を効率良く防止することができる。
【００２５】
また、本発明によれば、分割元記憶媒体及び分割先記憶媒体が、遊技店に会員登録した会員に付与された会員用記憶媒体であるか一般用記憶媒体であるかを判定し、分割元記憶媒体及び分割先記憶媒体がともに一般用記憶媒体であると判定された場合に、該分割元記憶媒体及び分割先記憶媒体に対して分割種別情報及び装置識別情報を関連付けるよう構成したので、外観が同一の一般用記憶媒体の場合にのみ取り違え防止策を講じることで、処理の効率化を図ることができる。
【００２６】
また、本発明によれば、分割先を示す分割種別情報及び装置識別情報が関連付けられた記録された記憶媒体を受け付けた際に、該記憶媒体に関連付けられた装置識別情報と自装置の装置識別情報が一致する場合には、該記憶媒体を受け入れ不可であると判定し、該記憶媒体に関連付けられた装置識別情報と自装置の装置識別情報が一致しない場合には、該記憶媒体を受け入れ可能であると判定するよう構成したので、他の各台装置で利用される分割先記憶媒体が誤って元の各台装置に挿入された場合に、この分割先記憶媒体を受け入れ不可として処理することで、記憶媒体の取り違えを防止することができる。
【００２７】
また、本発明によれば、分割元を示す分割種別情報及び装置識別情報が関連付けられた記憶媒体を受け付けた際に、該記憶媒体に関連付けられた装置識別情報と自装置の装置識別情報が一致する場合には、該記憶媒体を受け入れ可能であると判定し、該記憶媒体に関連付けられた装置識別情報と自装置の装置識別情報が一致しない場合には、該記憶媒体を受け入れ不可であると判定するよう構成したので、元の各台装置で利用される分割元記憶媒体が誤って他の各台装置に挿入された場合に、この分割元記憶媒体を受け入れ不可として処理することで、記憶媒体の取り違えを防止することができる。
【００２８】
また、本発明によれば、記憶媒体の受け入れ可否が判定された後に、該記憶媒体に関連付けられた分割種別情報及び装置識別情報を削除するよう構成したので、分割処理後の取り違え防止処理を１度限りとすることで、例えば遊技客が分割処理後に分割元記憶媒体を他の各台装置で利用する場合にも対応することができる。
【図面の簡単な説明】
【００２９】
【図１】図１は、本実施例に係る台間カード処理機、各台装置を含む遊技システム及び持玉分割方法の概念を説明するための説明図である。
【図２】図２は、本実施例に係る遊技媒体処理システムのシステム構成を示す図である。
【図３】図３は、図１に示した台間カード処理機の外観構成を示す図である。
【図４】図４は、図３に示したカードユニット部の概略図である。
【図５】図５は、図２に示した台間カード処理機及びカード管理装置の内部構成を示す機能ブロック図である。
【図６】図６は、図５に示したカード情報の一例を示す図である。
【図７】図７は、図５に示した台間カード処理機による持玉分割処理時の処理手順を示すフローチャートである。
【図８】図８は、図５に示した台間カード処理機による持玉分割処理を説明するための説明図である。
【図９】図９は、図５に示した台間カード処理機に対するカード挿入時の処理手順を示すフローチャートである。
【図１０】図１０は、図９のステップＳ２０４に示したカード受付処理を示すフローチャートである。
【図１１】図１１は、分割元カードを元の台間カード処理機に挿入した場合を説明するための説明図である。
【図１２】図１２は、分割先カードを他の台間カード処理機に挿入した場合を説明するための説明図である。
【図１３】図１３は、分割元カードを他の台間カード処理機に挿入した場合を説明するための説明図である。
【図１４】図１４は、分割先カードを元の台間カード処理機に挿入した場合を説明するための説明図である。
【発明を実施するための形態】
【００３０】
以下に、添付図面を参照して、本発明に係る各台装置、各台装置を含む遊技システム及び有価価値分割処理方法の好適な実施例を詳細に説明する。以下では、記憶媒体がカードであり、このカードに関連付けられる持玉を分割対象とした場合を中心に説明することとする。なお、かかるカードには、会員カードと一般カードが含まれるため、会員カード及び一般カードを含めて説明する場合には、単に「カード」と総称することとする。
【実施例】
【００３１】
まず、本実施例に係る台間カード処理機、各台装置を含む遊技システム及び持玉分割方法の概念について説明する。図１は、本実施例に係る台間カード処理機、各台装置を含む遊技システム及び持玉分割方法の概念を説明するための説明図である。同図に示すように、遊技店に配設された複数の台間カード処理機１０には、それぞれ号機番号が付与されている。この号機番号は、遊技店内の各台間カード処理機１０を一意に識別するための識別番号であり、各台間カード処理機１０内の記憶部１０ｃに記憶されている。
【００３２】
ここで、遊技客が、号機番号「０００１」の台間カード処理機１０を用いて所定の持玉分割操作を行った際に、分割元カード及び分割先カードの２枚のカードが排出され、このうち分割先カードを第三者に譲渡する場合を考える。
【００３３】
具体的には、遊技客が保有する持玉「１５００玉」のうちの「５００玉」を持玉分割する持玉分割操作を行った際に、持玉「１０００玉」が関連付けられたカードＩＤ「０１２３４」の分割元カードが号機番号「０００１」の台間カード処理機１０のカードユニット部１５から排出し、引き続き持玉「５００玉」が関連付けられたカードＩＤ「０５６７８」の分割先カードが号機番号「０００１」の台間カード処理機１０のカードユニット部１５から排出する場合を考える。
【００３４】
かかる場合に、遊技客は、カードＩＤ「０１２３４」の分割元カードを同じ遊技機２０に併設された台間カード処理機１０に挿入して引き続き遊技するとともに、カードＩＤ「０５６７８」の分割先カードを第三者に譲渡する。この分割先カードを譲渡された第三者は、分割先カードを他の遊技機２０に併設された台間カード処理機１０に挿入して持玉遊技を行うことになる。
【００３５】
このため、遊技客が、分割先カードではなく分割元カードを誤って第三者に譲渡してしまうと、かかる第三者を遊技店内から探してカードを交換しなければならない。特に、遊技客は、第三者に対して誤って分割元カードを譲渡したとしても、その時点で分割先カードではなく分割元カードを譲渡した事実に気がつかない場合が多いため、トラブルの原因となる可能性がある。
【００３６】
そこで、本実施例では、分割種別データ「分割元」及び号機番号「０００１」をカードＩＤ「０１２３４」の分割元カードに書き込み、分割種別データ「分割先」及び号機番号「０００１」をカードＩＤ「０５６７８」の分割先カードに書き込むとともに、台間カード処理機１０側でカードの受け入れ可否を判定するよう構成している。
【００３７】
具体的には、持玉分割操作が行われた号機番号「０００１」の台間カード処理機１０は、カードＩＤ「０１２３４」の分割元カードについては受け入れ可能と判定し、カードＩＤ「０５６７８」の分割先カードについては受け入れ不可と判定する。一方、号機番号「０００２」の台間カード処理機１０は、カードＩＤ「０１２３４」の分割元カードについては受け入れ不可と判定し、カードＩＤ「０５６７８」の分割先カードについては受け入れ可能と判定する。かかる判定処理の詳細な説明は後述するが、各台間カード処理機１０は、自装置の号機番号並びにカードに記憶した号機番号及び分割種別データを参照して判定処理を行うことになる。
【００３８】
なお、分割元カードと分割先カードの取り違えは、分割元カード及び分割先カードが共に一般カードである場合に特に大きな問題となる。一般カードはその外観が共通しているからである。言い換えれば、分割元カードと分割先カードのいずれか一方が会員カードである場合には、その外観が異なる場合が多いため、カード取り違えが発生する可能性が低い。このため、以下の説明では、分割元カードと分割先カードが共に一般カードである場合を中心に説明する。
【００３９】
次に、本実施例に係る遊技媒体処理システムのシステム構成について説明する。図２は、本実施例に係る遊技媒体処理システムのシステム構成を示す図である。同図に示すように、この遊技媒体処理システムでは、複数の遊技機２０と、各遊技機２０にそれぞれ対応して設けられた台間カード処理機１０と、カード管理装置４０と、会員管理装置５０と、複数の島端計数機６０と、精算機７０と、景品管理装置８０とが通信回線９０を介して接続されている。なお、複数の遊技機２０及び台間カード処理機１０は、島コントローラ３０を介して通信回線９０に接続されている。
【００４０】
遊技機２０は、パチンコ玉を遊技領域に打ち込んで遊技客がパチンコ遊技を行うパチンコ機等の装置である。台間カード処理機１０は、遊技機２０に対する玉貸し処理、遊技機２０で獲得したパチンコ玉の計数処理、計数したパチンコ玉を持玉として再投出する処理、貯玉の再プレイ処理などを行う装置である。
【００４１】
この台間カード処理機１０には、あらかじめ複数枚の一般カード１が収納されており、遊技客が遊技を終えてカード返却ボタン２１ａを押下操作すると、該一般カード１にプリペイド価値並びに持玉数が関連付けた後に返却される。具体的には、このプリペイド価値及び持玉数が一般カード１に書き込まれるとともに、カード管理装置４０で管理されるカード情報４０ｅの内容が更新される。また、一般カード１を受け入れたならば、この一般カード１のプリペイド価値並びに持玉数をカード管理装置４０から取得し、取得したプリペイド価値並びに持玉数に基づいてパチンコ玉の貸出処理並びに持玉の投出処理を行う。なお、一般カード１自体にプリペイド価値並びに持玉数を書き込んだ理由は主にオフライン運用を考慮したためであり、通常運用ではカード管理装置４０で管理されるカード情報４０ｅが正として取り扱われる。
【００４２】
また、この台間カード処理機１０は、持玉が存在する状況下で持玉の分割数を入力する持玉分割操作が行われると、該持玉数から分割数を差し引いた値を関連付けた一般カード１を分割元カードとして排出した後、分割数を関連付けた一般カード１を分割先カードとして排出する。このため、遊技客は、先に排出された分割元カードを再度台間カード処理機１０に挿入して遊技を継続できるとともに、分割先カードを第三者に渡して持玉共有を行うことができる。
【００４３】
また、この台間カード処理機１０は、遊技店内の各台間カード処理機１０を一意に識別するための号機番号が格納されており、持玉分割操作が行われた場合に、分割種別データ及び号機番号を分割元カード及び分割先カードに書き込む。具体的には、分割元カードに書き込む分割種別データは「分割元」となり、分割先カードに書き込む分割種別データは「分割先」となる。なお、以下では説明の便宜上、分割種別データを「分割元」又は「分割先」として説明するが、例えば「分割元」に「０」を対応付け、「分割先」に「１」を対応付けることができる。
【００４４】
そして、この台間カード処理機１０は、外部からカードユニット部１５に挿入された一般カード１に分割種別データ及び号機番号が書き込まれている場合には、この分割種別データ及び号機番号並びに自装置の号機番号を用いてカードの受け入れ可否を判定する。
【００４５】
島コントローラ３０は、遊技島に設けられた一群の遊技機２０及び台間カード処理機１０を束ねる中継装置である。カード管理装置４０は、カードのプリペイド価値及び持玉数等をカード情報４０ｅとして管理する管理装置である。
【００４６】
会員管理装置５０は、遊技店に会員登録された会員の会員データを管理する管理装置である。具体的には、会員に対して発行した会員カードＩＤに対応づけて、会員の氏名及び住所等の会員データ並びに貯玉データ等を管理する。なお、本実施例では貯玉の分割処理についての説明を省略するが、持玉分割処理と同様に行うことができる。
【００４７】
島端計数機６０は、遊技島端等に設けられ、遊技客が獲得したパチンコ玉数を計数し、計数値をカードに関連付けるか、レシートへ印字して発行する。精算機７０は、紙幣挿入部４２に挿入された各種紙幣のプリペイド価値が関連付けられたカードが挿入されると、このプリペイド価値に相当する現金の払出を行う。景品管理装置８０は、遊技店内の景品交換カウンターに併設された景品交換用の端末装置であり、貯玉及び持玉の景品交換処理を行う。
【００４８】
次に、図１に示した台間カード処理機１０の外観構成について説明する。図３は、図１に示した台間カード処理機１０の外観構成を示す図である。同図には、台間カード処理機１０が併設される遊技機２０が破線で図示されている。また、同図には紙幣のみを受け付ける台間カード処理機１０を図示したが、硬貨受け付け用のユニットを設けることもできる。
【００４９】
図３に示すように、台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入部１２とを有する。また、台間カード処理機１０は、ディスプレイなどの表示部並びにテンキーや各種ボタンを含む操作部からなる表示操作部１３と、遊技機２０の上皿２１に遊技媒体を供給するノズル１４と、カードＩＤ、プリペイド価値、貯玉データ及び持玉データが記憶されたカードを受け付けるカードユニット部１５と、携帯端末の識別子であるＩＤｍを読み取る携帯読取部１６とが設けられている。
【００５０】
また、台間カード処理機１０は、遊技客が獲得したパチンコ玉数を持玉数として計数する計数部１７と、獲得玉を貯留する持玉貯留部１８とを有する。遊技機２０の下皿２２から落下した遊技媒体は、持玉貯留部１８を経て計数部１７へと導かれる。この持玉貯留部１８には、持玉数を表示する持玉数表示部１８ａが設けられている。この持玉数表示部１８ａは、７セグメント（７ＳＥＧ）のＬＣＤ等で構成され、後述する台間カード処理機１０の制御部１０ｆにより表示制御される。
【００５１】
なお、遊技機２０には、パチンコ玉を貯留する上皿２１及び該上皿２１の貯留量が増えたパチンコ玉を貯留する下皿２２が設けられている。この上皿２１には、カードを返却するカード返却ボタン２１ａが設けられている。なお、かかるカード返却ボタン２１ａは、台間カード処理機１０に設けることもできる。
【００５２】
次に、図３に示した台間カード処理機１０のカードユニット部１５について、さらに詳細に説明する。図４は、図３に示したカードユニット部１５の概略図である。同図（ａ）には、カードユニット部１５を前面側（同図のＺ軸の負方向）からみた概略前面図を示し、同図（ｂ）には、カードユニット部１５を側面側（同図のＹＺ平面で切断しＸ軸の正方向）からみた概略側断面図を示している。
【００５３】
同図（ｂ）に示したように、カードユニット部１５は、カード搬送部１５ａと、リーダライタ部１５ｂと、収納部１５ｄとを備えている。また、リーダライタ部１５ｂは、アンテナ部１５ｃを有する。このリーダライタ部１５ｂは、図５に示したＲ／Ｗ部１０ａと同一のものである。なお、カードユニット部１５が取り扱うカードは、ＩＣチップを内蔵するいわゆるＩＣカードであり、あらかじめカードＩＤを記憶するとともに、持玉数、プリペイド価値などのデータを記憶する。そして、持玉数やプリペイド価値は、カード管理装置４０のカード情報４０ｅにも記憶される。
【００５４】
カード搬送部１５ａは、遊技店の会員に対して発行されるカードが挿入された場合に、これらのカードを同図のＺ軸の正方向へと搬送する。また、これらのカードを排出する場合には、該カードを同図のＺ軸の負方向へと搬送する。
【００５５】
リーダライタ部１５ｂは、カードとのデータ送受信を行うアンテナ部１５ｃを有している。また、リーダライタ部１５ｂは、かかるデータ送受信に際して、カードをアンテナ部１５ｃ上に保持する。したがって、台間カード処理機１０が、カードに関連付けられた持玉数を分割する場合には、かかるリーダライタ部１５ｂの位置までカードを搬送する必要がある。
【００５６】
収納部１５ｄは、遊技店の非会員である一般客に主に利用されるいわゆる一般カード１の収納領域である。所定枚数の一般カード１が、遊技店の開店前にあらかじめ収納部１５ｄに収納される。また、持玉データが関連付けられた一般カード１が挿入口から挿入された場合には、リーダライタ部１５ｂにて持玉データを読み取って関連付けを解消する。関連付けが解消された一般カード１は、収納部１５ｄへ収納される。なお、台間カード処理機１０が持玉の分割処理を行う場合には、収納部１５ｄに収納された所定枚数の一般カード１のうち、常に最上位に位置する一般カード１がリーダライタ部１５ｂの位置に搬送されることになる。
【００５７】
次に、図１に示した台間カード処理機１０及びカード管理装置４０の内部構成について説明する。図５は、図１に示した台間カード処理機１０及びカード管理装置４０の内部構成を示す機能ブロック図である。
【００５８】
同図に示すように、台間カード処理機１０は、Ｒ／Ｗ部１０ａと、通信Ｉ／Ｆ部１０ｂと、記憶部１０ｃと、制御部１０ｆとを有する。この制御部１０ｆには、表示操作部１３、計数部１７及び持玉数表示部１８ａが接続されている。
【００５９】
Ｒ／Ｗ部１０ａは、受け入れたカードへのデータの読み書きを行う処理部である。具体的には、カードが挿入された場合には、該カードのカードＩＤ、プリペイド価値及び持玉数を読み込んで制御部１０ｆに出力する。カードを返却する場合には、このカードにプリペイド価値及び持玉数を書き込む処理を行う。なお、カードにプリペイド価値及び持玉数を書き込む理由は、カード管理装置４０との通信が途絶した状況下でもオフライン運用を可能にするためである。
【００６０】
通信Ｉ／Ｆ部１０ｂは、カード管理装置４０とデータ通信を行うためのインタフェース部である。記憶部１０ｃは、ハードディスク装置や不揮発性メモリ等の記憶デバイスであり、遊技客が保持する持玉を示す持玉数１０ｄと、台間カード処理機１０を一意に識別する号機番号１０ｅとを記憶する。
【００６１】
制御部１０ｆは、台間カード処理機１０の全体制御を行う制御部であり、持玉管理部１０ｇ、持玉分割処理部１０ｈ、払出処理部１０ｉ及びカード判定部１０ｊを有する。持玉管理部１０ｇは、記憶部１０ｃに記憶した持玉数１０ｄを用いて遊技客の持玉数を管理する管理部である。具体的には、新たな持玉が計数された場合には計数値を持玉数に加算処理し、持玉の払い出しが行われた場合には払い出し数を持玉数から減算処理する。カードを返却する場合には、カード管理装置４０に対して持玉数を通知してカード管理装置４０により管理されるカード情報４０ｅの更新指示を行う。
【００６２】
持玉分割処理部１０ｈは、持玉の分割処理を行う処理部である。具体的には、表示操作部１３を介して持玉を分割するため持玉分割操作を受け付けたならば、持玉数１０ｄから分割数を減算した値を関連付けた分割元カードを排出した後、分割数を関連付けた分割先カードを排出する処理を行う。
【００６３】
この持玉分割処理部１０ｈは、分割元カードと分割先カードにそれぞれ持玉数を対応付けた後に、分割種別データ及び号機番号をそれぞれ書き込む。具体的には、分割元カードと分割先カードにそれぞれ対応付ける持玉数をカード管理装置４０に通知して、カード情報４０ｅの持玉数を更新させた後に、分割元カードには持玉数、分割種別データ「分割元」及び号機番号を書き込み、分割先カードには持玉数、分割種別データ「分割先」及び号機番号を書き込むことになる。
【００６４】
払出処理部１０ｉは、持玉払出ボタンが押下操作された場合に、ノズル１４を介して持玉数のうちの所定数（例えば、１２５玉）を遊技機２０の上皿２１に投出するとともに、貸出ボタンが押下操作された場合には、カードにプリペイド価値があることを条件に所定数の遊技媒体を払い出すよう遊技機２０に指示する処理部である。なお、貯玉の再プレイを行う場合には、ノズル１４を介して貯玉数のうちの所定数（例えば、１２５玉）を遊技機２０の上皿２１に投出することになる。
【００６５】
カード判定部１０ｊは、自装置の号機番号並びにカードに記憶した分割種別データ及び号機番号を用いて、外部から挿入されたカードが受け入れ可能であるか否かを判定する処理部である。具体的には、分割種別データが「分割元」である場合には、自装置の号機番号とカードに記憶した号機番号が一致するならば受け入れ可能であると判定し、自装置の号機番号とカードに記憶した号機番号が異なるならば受け入れ不可と判定する。また、分割種別データが「分割先」である場合には、自装置の号機番号とカードに記憶した号機番号が異なるならば受け入れ可能であると判定し、自装置の号機番号とカードに記憶した号機番号が一致するならば受け入れ不可と判定する。なお、カード判定部１０ｊは、上記判定処理を行ったならば、カードに記憶した分割種別データ及び号機番号を消去する。
【００６６】
次に、カード管理装置４０は、入力部４０ａと、表示部４０ｂと、通信Ｉ／Ｆ部４０ｃと、記憶部４０ｄと、制御部４０ｆとを有する。入力部４０ａは、キーボードやマウス等の入力デバイスであり、表示部４０ｂは、液晶パネルやディスプレイ装置等の表示デバイスである。通信Ｉ／Ｆ部４０ｃは、台間カード処理機１０とデータ通信するためのインタフェース部であり、記憶部４０ｄは、ハードディスク装置や不揮発性メモリ等の記憶デバイスである。
【００６７】
図６に示すように、この記憶部４０ｄには、カードＩＤ、プリペイド価値及び持玉数等が対応づけられたカード情報４０ｅが記憶されている。図６は、カードＩＤ「００００１」の持玉数「１５００玉」のうちの「５００玉」がカードＩＤ「００００２」に持玉分割され、カードＩＤ「００００１」の持玉数が「１０００玉」となり、カードＩＤ「００００２」の持玉数が「５００玉」となった状況を示している。なお、ここではカードＩＤの最上位の数字が「０」のものを一般カードとし、最上位の数字が「１」のものを会員カードとして区別することとしたが、会員カードと一般カードの種別をカード情報４０ｅに記憶することもできる。
【００６８】
制御部４０ｆは、カード管理装置４０を全体制御する制御部であり、カード情報管理部４０ｇを有する。カード情報管理部４０ｇは、記憶部４０ｄに記憶したカード情報４０ｅを用いて各カードの持玉数やプリペイド価値を管理する。
【００６９】
次に、図５に示した台間カード処理機１０による持玉分割処理時の処理手順について説明する。図７は、図５に示した台間カード処理機１０による持玉分割処理時の処理手順を示すフローチャートであり、図８は、図５に示した台間カード処理機１０による持玉分割処理を説明するための説明図である。ここでは説明の便宜上、台間カード処理機１０の記憶部１０ｃに持玉数１０ｄが記憶されていることとする。
【００７０】
図７に示すように、台間カード処理機１０は、持玉分割操作を受け付け待ちの状態にあり（ステップＳ１０１；Ｎｏ）、持玉分割操作を受け付けたならば（ステップＳ１０１；Ｙｅｓ）、持玉分割処理を行う。例えば、遊技客が持玉数「１５００玉」から「５００玉」を分割したい場合には、図８（ａ）に示すように、表示操作部１３のテンキーで「５００」を入力し、カード返却ボタン２１ａを押下操作することで、分割数「５００玉」の持玉分割操作が完了する。
【００７１】
かかる持玉分割操作が行われると、現持玉数１０ｄ（Ａ）と分割数（Ｂ）から分割後の分割元カードの持玉数（Ｃ）が「Ｃ＝Ａ−Ｂ」の算定式により算定される（ステップＳ１０２）。その後、持玉数（Ｃ）をカード管理装置４０に通知するとともに該持玉数（Ｃ）を分割元カードに書き込んで持玉数（Ｃ）を分割元カードに関連付ける（ステップＳ１０３）。その後、分割種別データ「分割元」及び号機番号を分割元カードに書き込み（ステップＳ１０４）、分割元カードを排出する（ステップＳ１０５）。
【００７２】
これにより、例えば図８（ｂ）に示すように、カードＩＤ「０１２３４」、持玉数「１０００玉」、分割種別データ「分割元」、号機番号「０００１」を記憶した一般カード１が分割元カードとして排出されることになる。
【００７３】
その後、分割数（Ｂ）をカード管理装置４０に通知するとともに該分割数（Ｂ）を分割先カードに書き込んで分割数（Ｂ）を分割先カードに関連付け（ステップＳ１０６）、分割種別データ「分割先」及び号機番号を分割先カードに書き込み（ステップＳ１０７）、分割先カードを排出する（ステップＳ１０８）。
【００７４】
これにより、例えば図８（ｃ）に示すように、カードＩＤ「０５６７８」、持玉数「５００玉」、分割種別データ「分割先」、号機番号「０００１」を記憶した一般カード１が分割先カードとして排出される。
【００７５】
上記一連の処理を行うことにより、持玉数、分割種別データ及び号機番号を書き込んだ分割元カード及び分割先カードが排出される。このため、遊技客は、かかる分割先カードを第三者に譲渡するとともに、分割元カードを元の台間カード処理機１０に挿入することで持玉遊技を継続することになる。
【００７６】
次に、図５に示した台間カード処理機１０に対するカード挿入時の処理手順について説明する。図９は、図５に示した台間カード処理機１０に対するカード挿入時の処理手順を示すフローチャートである。
【００７７】
図９に示すように、台間カード処理機１０は、カードユニット部１５で外部から挿入されたカードからカードＩＤ、持玉数、分割種別データ及び号機番号を読み取ると（ステップＳ２０１）、このカードＩＤを用いてカード種別が会員カードであるか一般カードであるかを判定する（ステップＳ２０２）。例えば、カードＩＤが「００００１」である場合には、最上位の数字が「０」であるため一般カードであると判定し、カードＩＤが「１０００１」である場合には、最上位の数字が「１」であるため会員カードであると判定する。
【００７８】
そして、会員カードであると判定された場合には（ステップＳ２０３：Ｎｏ）、通常と同様にカード受付処理を行う（ステップＳ２０４）。なお、このカード受付処理の詳細な説明は後述する。これに対して、一般カードであると判定された場合には（ステップＳ２０３：Ｙｅｓ）、カードから読み取った分割種別データに「分割元」又は「分割先」のいずれかが設定されているか否かを調べる（ステップＳ２０５）。そして、分割種別データの設定がない場合には（ステップＳ２０５：Ｎｏ）、通常と同様にカード受付処理を行う（ステップＳ２０４）。
【００７９】
一方、分割種別データに「分割元」又は「分割先」のいずれかが設定がされている場合には（ステップＳ２０５：Ｙｅｓ）、カードに記憶された分割種別データ及び号機番号を消去する（ステップＳ２０６）。一度カード取り違えをチェックしたならば、次回以降に同様のチェックを行わないこととして、例えば遊技客が分割元カードを敢えて他の台間カード処理機１０に挿入する等のイレギュラーな運用を可能にするためである。
【００８０】
その後、分割種別データが「分割元」であるか否かを調べ（ステップＳ２０７）、「分割先」である場合には（ステップＳ２０７：Ｙｅｓ）、カードから読み取った号機番号が自装置の号機番号と一致するか否かを判定する（ステップＳ２０８）。そして、号機番号が自装置の号機番号と一致する場合には（ステップＳ２０８：Ｙｅｓ）、通常と同様にカード受付処理を行う（ステップＳ２０４）。これに対して、号機番号が自装置の号機番号と一致しない場合には（ステップＳ２０８：Ｎｏ）、表示操作部１３に「カード取り違え」を表示した後（ステップＳ２０９）、カードを排出する（ステップＳ２１０）。
【００８１】
また、ステップＳ２０７において分割種別データが「分割元」でない場合には（ステップＳ２０７：Ｎｏ）、カードから読み取った号機番号が自装置の号機番号と一致するか否かを判定する（ステップＳ２１１）。そして、号機番号が自装置の号機番号と一致する場合には（ステップＳ２１１：Ｙｅｓ）、表示操作部１３に「カード取り違え」を表示した後（ステップＳ２０９）、カードを排出し（ステップＳ２１０）、号機番号が自装置の号機番号と一致する場合には（ステップＳ２１１：Ｎｏ）、通常と同様にカード受付処理を行う（ステップＳ２０４）。
【００８２】
上記一連の処理を行うことにより、分割元カードが元の台間カード処理機１０に挿入された場合には通常のカード受付処理を行い、分割元カードが他の台間カード処理機１０に挿入された場合にはカード取り違えを表示した後にカードが排出される。また、分割先カードが他の台間カード処理機１０に挿入された場合には通常のカード受付処理を行い、分割先カードが元の台間カード処理機１０に挿入された場合にはカード取り違えを表示した後にカードが排出される。
【００８３】
次に、図９のステップＳ２０４に示したカード受付処理についてさらに詳細に説明する。図１０は、図９のステップＳ２０４に示したカード受付処理を示すフローチャートである。ここでは、説明の便宜上、カード１に持玉が関連付けられているものとする。
【００８４】
図１０に示すように、台間カード処理機１０は、カードＩＤを含む持玉数の問合せ信号をカード管理装置４０に対して送信する（ステップＳ３０１）。カード管理装置４０は、持玉数の問合せ信号を受信したならば（ステップＳ３０２；Ｙｅｓ）、カード情報４０ｅをカードＩＤで検索して持玉数を抽出し（ステップＳ３０３）、抽出した持玉数を台間カード処理機１０に送信した後（ステップＳ３０４）、カード情報４０ｅのカードＩＤに対応する持玉数を「０玉」にクリアする（ステップＳ３０５）。
【００８５】
台間カード処理機１０が、持玉数を受信したならば（ステップＳ３０６；Ｙｅｓ）、受信した持玉数を記憶部１０ｃに記憶し（ステップＳ３０７）、この持玉数を持玉数表示部１８ａに表示する（ステップＳ３０８）。上記一連の処理を行うことにより、カードに関連付けられた持玉数１０ｄが台間カード処理機１０に記憶されることになる。
【００８６】
次に、台間カード処理機１０が図９に示した処理を行った場合の処理結果について具体例を用いて説明する。図１１は、分割元カードを元の台間カード処理機１０に挿入した場合を説明するための説明図であり、図１２は、分割先カードを他の台間カード処理機１０に挿入した場合を説明するための説明図である。また、図１３は、分割元カードを他の台間カード処理機１０に挿入した場合を説明するための説明図であり、図１４は、分割先カードを元の台間カード処理機１０に挿入した場合を説明するための説明図である。
【００８７】
図１１（ａ）に示すように、カードＩＤ「０１２３４」、持玉数「１０００玉」、分割種別データ「分割元」、号機番号「０００１」を記憶した分割元カードを号機番号「０００１」の元の台間カード処理機１０に挿入した場合には、同図（ｂ）に示すように、この分割元カードは台間カード処理機１０に受け付けられ、持玉数「１０００玉」が台間カード処理機１０の記憶部１０ｃに記憶されるとともに持玉数表示部１８ａに持玉数「１０００玉」が表示される。なお、カードが正常に受け入れられたため、カード内の持玉数はクリアされる。また、カードの取り違え判定が行われたため、分割種別データ及び号機番号についてもクリアされる。
【００８８】
同様に、図１２（ａ）に示すように、カードＩＤ「０５６７８」、持玉数「５００玉」、分割種別データ「分割先」、号機番号「０００１」を記憶した分割先カードを号機番号「０００２」の他の台間カード処理機１０に挿入した場合には、同図（ｂ）に示すように、この分割先カードは台間カード処理機１０に受け付けられ、持玉数「５００玉」が台間カード処理機１０の記憶部１０ｃに記憶されるとともに持玉数表示部１８ａに持玉数「５００玉」が表示される。なお、カードが正常に受け入れられたため、カード内の持玉数はクリアされる。また、カードの取り違え判定が行われたため、分割種別データ及び号機番号についてもクリアされる。
【００８９】
これに対して、図１３（ａ）に示すように、カードＩＤ「０１２３４」、持玉数「１０００玉」、分割種別データ「分割元」、号機番号「０００１」を記憶した分割元カードを号機番号「０００２」の他の台間カード処理機１０に挿入した場合には、同図（ｂ）に示すように、この分割元カードは台間カード処理機１０に受け付けられず、表示操作部１３に「カード取り違え」が表示されるとともに、該分割元カードは排出される。なお、カードが正常に受け入れられなかったため、カード内の持玉数は「１０００玉」のままであるが、カードの取り違え判定が行われたため、分割種別データ及び号機番号はクリアされずにそのままである。
【００９０】
同様に、図１４（ａ）に示すように、カードＩＤ「０５６７８」、持玉数「５００玉」、分割種別データ「分割先」、号機番号「０００１」を記憶した分割先カードを号機番号「０００１」の元の台間カード処理機１０に挿入した場合には、同図（ｂ）に示すように、この分割先カードは台間カード処理機１０に受け付けられず、表示操作部１３に「カード取り違え」が表示されるとともに、該分割先カードは排出される。なお、カードが正常に受け入れられなかったため、カード内の持玉数は「５００玉」のままであるが、カードの取り違え判定が行われたため、分割種別データ及び号機番号はクリアされずにそのままである。
【００９１】
上述してきたように、本実施例では、台間カード処理機１０を用いて持玉分割処理を行う際に分割元カード及び分割先カードに分割種別データ及び号機番号を記憶しておき、この分割元カード及び分割先カードが台間カード処理機１０に挿入された場合に、読み出した分割種別データ及び号機番号と自装置の号機番号を用いて受け入れ可否を判定するよう構成したので、カードの取り違えに伴う混乱を効率良く防止することができる。
【００９２】
なお、上記実施例では、分割する場合に「分割先」の数（例えば「５００玉」）を入力する場合を示したが、本発明はこれに限定されるものではなく、「分割元」の数（例えば「１０００玉」）の入力を行うこともできる。その場合は、「分割先」の数（Ｂ＝Ａ−Ｃ）を算出することになる。
【００９３】
また、上記実施例では、分割種別データや号機番号を「分割先」及び「分割元」の両方で管理する場合を示したが、本発明はこれに限定されるものではなく、「分割先」又は「分割元」のいずれか一方で管理する場合に適用することもできる。例えば、「分割元」を管理しておけば、間違えたとしても受け取った側は使えない。また、「分割先」を管理しておけば、分割元が自台に挿入するとすぐに気付くことができる。そのため、「分割先」及び「分割元」の両方で管理を行わなくとも、カード取り違えに伴う混乱を効率良く防止することができる。
【００９４】
また、上記実施例では、第三者に譲渡するために分割する場合を示したが、本発明はこれに限定されるものではなく、遊技者本人用に分割しても良い。その主な目的は、区切りの良いきっちりとした金額或いは当日使った分を確保し、使用しないことを企図して確保するためである。
【００９５】
また、分割元カードが精算或いは景品交換等の遊技客が帰ったと思われる処理後、或いは分割から所定時間経過後であれば、分割先カードの規制がなくなるようにしても良い。つまり、分割元の台間カード処理機１０へのカード挿入が可能となり、かかる台間カード処理機１０で分割先カードを用いた遊技を行うことができる。
【００９６】
また、上記実施例では、持玉を分割する場合を示したが、本発明はこれに限定されるものではなく貯玉、プリペイド価値等の各種有価価値を分割する場合に適用することもできる。また、本実施例では、台間カード処理機１０に記憶した号機番号１０ｅを用いる場合を示したが、台間カード処理機１０を一意に識別できる識別情報であれば号機番号１０ｅ以外の識別情報でも良い。
【００９７】
また、上記実施例では、台間カード処理機１０にカードを挿入した場合に、カード管理装置４０で管理される持玉数を台間カード処理機１０に移行してカード管理装置４０が管理する持玉数をクリアすることとしたが、本発明はこれに限定されるものではなく、台間カード処理機１０とカード管理装置４０の双方で持玉数を管理する場合や、カード管理装置４０のみで持玉数を管理する場合に適用することもできる。
【００９８】
また、上記実施例では、台間カード処理機１０からノズル１４を介して持玉を払い出す場合を示したが、本発明はこれに限定されるものではなく、台間カード処理機１０から遊技機２０に対して払出指示を行い、遊技機２０の内部からパチンコ玉を払い出す場合に適用することもできる。
【００９９】
また、上記実施例では、カード管理装置４０と会員管理装置５０を別装置とした場合を示したが、本発明はこれに限定されるものではなく、カード管理装置４０と会員管理装置５０を一体化した場合に適用することもできる。
【０１００】
また、上記実施例では、台間カード処理機１０で分割処理を行う場合を示したが、機能の一部を島コントローラ３０やカード管理装置４０に持たせて、システムとして同様の機能を達成するようにしても良い。具体的には、分割指示入力やカード排出の制御の機能は、台間カード処理機１０が持つことになるが、持玉の分割処理そのものは、管理装置側で行うようにしても良い。なお、機能の一部を島コントローラ３０やカード管理装置４０以外の機器に持たせることもできる。
【０１０１】
また、いわゆるダブルサンドと呼ばれる台間カード処理機（ＣＲユニット）と各台計数機が分離されたものの場合は、計数機能や持玉分割機能を、貸出機能を持つ台間カード処理機（ＣＲユニット）とは別体の装置に持たせても良い。
【産業上の利用可能性】
【０１０２】
以上のように、本発明に係る各台装置、各台装置を含む遊技システム及び有価価値分割処理方法は、持玉、貯玉、プリペイド価値などの有価価値の一部を他の遊技客に譲渡して有価価値を共有するとともに、カード等の記憶媒体の取り違えに伴う混乱を効率良く防止する場合に適している。
【符号の説明】
【０１０３】
１    カード
１０    台間カード処理機
１０ａ  Ｒ／Ｗ部
１０ｂ  通信Ｉ／Ｆ部
１０ｃ  記憶部
１０ｄ  持玉数
１０ｅ  号機番号
１０ｆ  制御部
１０ｇ  持玉管理部
１０ｈ  持玉分割処理部
１０ｉ  払出処理部
１０ｊ  カード判定部
１１    状態表示部
１２    紙幣挿入部
１３    表示操作部
１４    ノズル
１５    カードユニット部
１５ａ  カード搬送部
１５ｂ  リーダライタ部
１５ｃ  アンテナ部
１５ｄ  収納部
１６    携帯読取部
１７    計数部
１８    持玉貯留部
１８ａ  持玉数表示部
２０    遊技機
２１    上皿
２１ａ  カード返却ボタン
２２    下皿
３０    島コントローラ
４０    カード管理装置
４０ａ  入力部
４０ｂ  表示部
４０ｃ  通信Ｉ／Ｆ部
４０ｄ  記憶部
４０ｅ  カード情報
４０ｆ  制御部
４０ｇ  カード情報管理部
５０    会員管理装置
６０    島端計数機
７０    精算機
８０    景品管理装置
９０    通信回線
【図１】
2012085819.tif 000003
【図２】
2012085819.tif 000004
【図３】
2012085819.tif 000005
【図４】
2012085819.tif 000006
【図５】
2012085819.tif 000007
【図６】
2012085819.tif 000008
【図７】
2012085819.tif 000009
【図８】
2012085819.tif 000010
【図９】
2012085819.tif 000011
【図１０】
2012085819.tif 000012
【図１１】
2012085819.tif 000013
【図１２】
2012085819.tif 000014
【図１３】
2012085819.tif 000015
【図１４】
2012085819.tif 000016